(57)【要約】【課題】各局間あるいは局内において多大な設備投資を必要とすることなく、データ放送ＴＳのモジュールの更新が行われるごとに、更新モジュールを受信機に送出して即座に表示させることが可能なデータ放送ＴＳ送出装置を提供する。【解決手段】ＴＳ入力部１１により受信されたデータ放送ＴＳからモジュールを構成する複数のセクションデータを抽出して、メモリ１２に記録し、切替制御部１３によりメモリ１２上で複数のセクションデータをモジュール別に管理するようにしている。そして、モジュールの更新があった場合に、多重部１５により更新モジュールに該当する複数のセクションデータを先出し用カルーセルデータに生成しＴＳに変換して一括送信し、その後にメモリ１２上の複数のセクションデータをカルーセルに再構成しＴＳに変換して送信するようにしている。【選択図】      図２
2006229603.tif 000002
【特許請求の範囲】
【請求項１】
互いにブロック構造の複数のモジュールを組み合わせたカルーセルを含むデータ放送ＴＳ（Transport Stream）を受信して前記モジュールを復元する受信・復元手段と、
この受信・復元手段により復元された前記複数のブロックを記録媒体に記録する記録手段と、
前記記録媒体から読み出される前記複数のブロックを前記カルーセルに再構成しＴＳに変換して送出する変換送出手段と、
前記記録媒体上の複数のブロックをモジュール別に管理し、差し替え要求されるモジュールに応じて前記記録媒体上の該当するブロックを更新ブロックに差し替えるとともに、前記変換送出手段に対し更新モジュールに該当する複数のブロックを転送し一括送信させた後に、前記記録媒体から前記複数のブロックを読み出して送信させる制御手段とを具備したことを特徴とするデータ放送ＴＳ送出装置。
【請求項２】
前記データ放送ＴＳが、ヘッダ領域に前記ＴＳに含まれるモジュールを識別するためのＤＩＩ（Download Info Indication）を配置し、それに続くデータ領域に前記カルーセルを配置してなる伝送構造をとるとき、
前記制御手段は、前記データ放送ＴＳの受信時に得られるＤＩＩに基づいて前記記録媒体上の前記複数のブロックを管理し、差し替え要求に応じて前記変換送出手段に対し更新されたモジュールを識別するためのＤＩＩを送出させた後に、前記更新モジュールに該当する複数のブロックを転送して一括送信させることを特徴とする請求項１記載のデータ放送ＴＳ送出装置。
【請求項３】
更新ファイルが入力されるとき、前記更新ファイルを前記カルーセルのモジュールに変換して前記制御手段に送出する更新ファイル変換手段をさらに備えることを特徴とする請求項１記載のデータ放送ＴＳ送出装置。
【請求項４】
互いにブロック構造の複数のモジュールを組み合わせたカルーセルを含むデータ放送ＴＳ（Transport Stream）を受信して前記モジュールを復元し、
この復元された前記複数のブロックを記録媒体に記録し、
前記記録媒体上の複数のブロックをモジュール別に管理し、差し替え要求されるモジュールに応じて前記記録媒体上の該当するブロックを更新ブロックに差し替えるとともに、更新モジュールに該当する複数のブロックを前記ＴＳに変換して一括送信し、
前記記録媒体から前記複数のブロックを読み出し、前記カルーセルに再構成し前記ＴＳに変換して送出するようにしたことを特徴とするデータ放送ＴＳ送出方法。
【発明の詳細な説明】
【技術分野】
【０００１】
この発明は、例えばデジタルテレビジョン放送の付加サービスとして提供されるデータ放送のＴＳ（以下、データ放送ＴＳと称する）を再構成し、送出するためのデータ放送ＴＳ送出装置及びデータ放送ＴＳ送出方法に関する。
【背景技術】
【０００２】
近年、地上波デジタル放送が開始され、この地上波デジタル放送にあってはデータ放送サービスが提供されている。
【０００３】
一般に、データ放送では、番組を構成する複数のコンポーネント（ＥＳ：Elementary stream）をセクションと呼ばれるデータに分割し、カルーセルという単位で繰り返し送出する。カルーセルはセクションデータの集まりである。受信装置では、このカルーセルを受信し、番組を構成する全てのコンポーネントを受信した時点で番組内容の表示が完成する。
【０００４】
コンポーネントは複数のモジュールから構成されており、送出時にはセクションデータに分割されて送出される。天気予報画面を例にとると、画面フレームを構成するＢＭＬ（Broadcast Markup Language）文書、日本地図を示すイメージファイル、天気マークを示すイメージファイル、気温等を示すテキストファイルがコンポーネントを構成するモジュールとなり、送出時にはさらにセクションデータに分割される。
【０００５】
また、地上波デジタル放送では、メインキー局からサブキー局へ、サブキー局からローカル局へコンテンツを配信して互いにコンテンツを共有化しておき、個々の局でデータ放送ＴＳを生成して送出している。
【０００６】
ところで、上記地上波デジタル放送では、上記サブキー局またはローカル局においてコンテンツが更新された場合に、更新したコンテンツ（モジュール）を受信機側でできるだけ速く表示させる手法が強く望まれている。
【０００７】
そこで、従来では、更新モジュールが先頭にくるようなデータ放送ＴＳを生成して受信機側に送出する手法が提案されている（例えば、特許文献１）。
【特許文献１】特開２００３−１８１１２号公報。
【発明の開示】
【発明が解決しようとする課題】
【０００８】
しかしながら、上記手法では、モジュールの更新があるごとに、データ放送ＴＳを配信された各局がそれぞれ更新モジュールを含むデータ放送ＴＳを一から生成する必要があり、設備拡張の面で多大なコストがかかる。
【０００９】
そこで、この発明の目的は、各局間あるいは局内において多大な設備投資を必要とすることなく、データ放送ＴＳのモジュールの更新が行われるごとに、更新モジュールを受信機に送出して即座に表示させることが可能なデータ放送ＴＳ送出装置及びデータ放送ＴＳ送出方法を提供することにある。
【課題を解決するための手段】
【００１０】
この発明は、上記目的を達成するために、以下のように構成される。  
互いにブロック構造の複数のモジュールを組み合わせたカルーセルを含むデータ放送ＴＳ（Transport Stream）を受信してモジュールを復元する受信・復元手段と、この受信・復元手段により復元された複数のブロックを記録媒体に記録する記録手段と、記録媒体から読み出される複数のブロックをカルーセルに再構成しＴＳに変換して送出する変換送出手段と、記録媒体上の複数のブロックをモジュール別に管理し、差し替え要求されるモジュールに応じて記録媒体上の該当するブロックを更新ブロックに差し替えるとともに、変換送出手段に対し更新モジュールに該当する複数のブロックを転送して一括送信させた後に、記録媒体から複数のブロックを読み出して送信させる制御手段とを備えるようにしたものである。
【００１１】
この構成によれば、受信されたデータ放送ＴＳが複数のブロックに復元された後、記録媒体に記録され、記録媒体上で複数のブロックがモジュール別に管理されるので、モジュールの更新要求があった場合に、更新すべきモジュールに該当する記録媒体上の複数のブロックを特定でき、これにより記録媒体上の複数のブロックを更新モジュールに該当する複数のブロックに差し替えることができる。このため、更新モジュールを含むデータ放送ＴＳを一から生成することなく、これによりシステムの設備コストを低減することができる。
【００１２】
また、モジュールの更新があった際に、更新モジュールに該当する複数のブロックが一括送信され、その後に更新後の記録媒体上の複数のブロックがカルーセルに再構成されＴＳに変換されて送信される。従って、受信機側ではデータ放送ＴＳのモジュールが更新されるごとに、その更新モジュールを即座に受信して表示することができる。
【００１３】
データ放送ＴＳが、ヘッダ領域にＴＳに含まれるモジュールを識別するためのＤＩＩ（Download Info Indication）を配置し、それに続くデータ領域にカルーセルを配置してなる伝送構造をとるとき、制御手段は、データ放送ＴＳの受信時に得られるＤＩＩに基づいて記録媒体上の複数のブロックを管理し、差し替え要求に応じて変換送出手段に対し更新されたモジュールを識別するためのＤＩＩを送出させた後に、更新モジュールに該当する複数のブロックを転送して一括送信させることを特徴とする。  
この構成によれば、データ放送ＴＳに付加されているＤＩＩを利用して、受信・復元された複数のブロックを記録媒体に記録してモジュール別に自動的に管理することができる。
【００１４】
更新ファイルが入力されるとき、更新ファイルをカルーセルのモジュールに変換して制御手段に送出する更新ファイル変換手段をさらに備えることを特徴とする。  
この構成によれば、更新ファイルを決められたデータフォーマットで入力する必要はなくなり、変換可能な範囲で任意のデータフォーマットを使用可能となる。従って、如何なるデータフォーマットの更新ファイルが入力されても、その更新ファイルをデータ放送ＴＳの更新モジュールとして受信機側に一括送信することができる。
【発明の効果】
【００１５】
以上詳述したようにこの発明によれば、各局間あるいは局内において多大な設備投資を必要とすることなく、データ放送ＴＳのモジュールの更新が行われるごとに、更新モジュールを受信機に送出して即座に表示させることが可能なデータ放送ＴＳ送出装置及びデータ放送ＴＳ送出方法を提供することができる。
【発明を実施するための最良の形態】
【００１６】
以下、この発明の実施形態について図面を参照して詳細に説明する。  
図１は、この発明に係るデータ放送ＴＳ送出装置を適用したローカル局の一実施形態を示している。
【００１７】
図１において、ＴＳコンバータ１０は、例えばキー局のデータ放送送出装置２０から送出されるデータ放送ＴＳを受信して複数のモジュールを復元し、モジュール更新装置３１から送出される更新モジュールと差し替えて再度データ放送ＴＳに変換する。このデータ放送ＴＳは、所定のローカル局あるいはサービスエリアに向けて送出される。
【００１８】
上記モジュール更新装置３１は、上記モジュール更新処理に際し、自動更新システム３２から送出された更新ファイルがデータ放送ＴＳのデータフォーマットでない場合に、このデータ放送ＴＳのデータフォーマットへのフォーマット変換を行う。このフォーマット変換は、更新ファイルをセクションに分割して更新モジュールに変換するものである。
【００１９】
図２は、上記ＴＳコンバータ１０の構成を示すブロック図である。  
図２において、ＴＳ入力部１１はデータ放送ＴＳを取り込み、そのＴＳに含まれるカルーセルの解析処理、ＤＩＩの内容解析処理を行って、カルーセルの各セクションデータをメモリ１２の然るべき領域に転送し、その転送終了後にメモリ１２上の各セクションデータの存在領域及びＤＩＩを切替制御部１３に通知する。
【００２０】
切替制御部１３はＴＳ入力部１１から通知されるＤＩＩ及び各セクションデータの存在領域情報に基づいて、メモリ１２上のセクションデータをモジュール別に管理し、差し替えモジュール受信部１４を介してモジュール更新装置３１から送られた更新モジュールを受信して、メモリ１２上の該当するセクションデータを更新モジュールのセクションデータに差し替える。さらに、更新したＤＩＩ及び更新モジュールのセクションデータを多重部１５に転送し、しかる後に多重部１５に対しメモリ１２の転送開始アドレス及び転送バイト数を指定する。なお、更新したＤＩＩには、各セクションデータのモジュールＩＤと、更新情報と、番組の概要を表す情報が含まれる。
【００２１】
多重部１５は、切替制御部１３から転送された更新モジュールに該当する複数のセクションデータを先出し用カルーセルに生成するとともに、切替制御部１３から指定されたアドレスから指定されたバイト数だけ、メモリ１２の各セクションデータを読み出してカルーセルを再構成する。そして、通知されたＤＩＩと共に先出し用カルーセルをＴＳに変換して一括送信し、その後に続くカルーセルをＴＳに変換して送出する。
【００２２】
次に、上記構成における動作について説明する。  
キー局のデータ放送送出装置２０から送出されたデータ放送ＴＳは、ＴＳ入力部１１によって受信され、データ放送のカルーセルを構成するセクションデータが抽出される。これらセクションデータはメモリ１２の然るべき領域に転送される。ＴＳ入力部１１は、セクションデータの転送が終了すると、メモリ１２上のセクションデータの存在領域を切替制御部１３に通知するとともに、データ放送ＴＳに含まれているＤＩＩを通知する。
【００２３】
すると、切替制御部１３は、ＤＩＩに基づいて、メモリ１２上のセクションデータをモジュール別に管理する。ここで、１カルーセルにおいて、図３に示すように３つのモジュールＡ〜Ｃ（モジュールＩＤ１〜３）で構成されるコンテンツのセクション数（ブロック数）がそれぞれ６，２，３である。そして、多重部１５から出力される１カルーセルは、図４に示す順序で配列されているとする。なお、ＴＳのＤＩＩには全てのモジュールＡ〜ＣのＩＤが記載されている。
【００２４】
以前は、例えばメモリ１２上のモジュールＣが更新されても、図４に示すように、更新されていないモジュールが優先的に転送されるため、更新されたモジュールＣの転送が遅かった。
【００２５】
そこで、本実施形態では、例えばメモリ１２上のモジュールＣが更新された場合に、図５に示すように、更新されたモジュールＣを一括送信した後に、更新されたカルーセルを送信するようにしている。すると、受信機にモジュールＣの全セクションが最初に受信されるので、更新後のモジュールＣが即座に再生表示されることになる。
【００２６】
また、切替制御部１３は、差し替えモジュール受信部１４により更新モジュールが受信されると、図６に示す制御処理を実行する。
【００２７】
まず、切替制御部１３は、メモリ１２上の該当するモジュールのセクションデータを更新すると共に、ＤＩＩ中のモジュールバージョンを更新し、この更新ＤＩＩ及び更新モジュールのセクションデータを多重部１５に転送し、また多重部１５に対してメモリ１２の転送開始アドレス及び転送バイト数を指定する（ステップＳＴ６ａ）。
【００２８】
多重部１５は、更新モジュールのセクションデータを先出し用カルーセルに生成する（ステップＳＴ６ｂ）。そして、切替制御部１３から指定されたアドレスから指定されたバイト数だけ、メモリ１２の各セクションデータを読み出して先出し用カルーセルに続くカルーセルを再構成する（ステップＳＴ６ｃ）。
【００２９】
続いて、多重部１５は、まず更新ＤＩＩを送出し（ステップＳＴ６ｄ）、続いて先出し用カルーセルをＴＳに変換して送出し（ステップＳＴ６ｅ）、先出し用カルーセルの送出が完了したか否かの判断を行う（ステップＳＴ６ｆ）。ここで、完了していなければ（Ｎｏ）、多重部１５は上記ステップＳＴ６ｅの処理に移行し、完了した場合には（Ｙｅｓ）、先出し用カルーセルに続く更新後のカルーセルをＴＳに変換して繰り返し送信する（ステップＳＴ６ｇ）。
【００３０】
以上のように上記実施形態では、ＴＳ入力部１１により受信されたデータ放送ＴＳからモジュールを構成する複数のセクションデータを抽出して、メモリ１２に記録し、切替制御部１３によりメモリ１２上で複数のセクションデータをモジュール別に管理するようにしている。
【００３１】
従って、差し替えモジュール受信部１４にて更新モジュールを受信した場合に、更新すべきモジュールに該当するメモリ１２上の複数のセクションデータを特定でき、これによりメモリ１２上の複数のセクションデータを更新モジュールに該当する複数のセクションデータに差し替えることができる。このため、更新モジュールを含むデータ放送ＴＳを一から生成することなく、これによりシステムの設備コストを低減することができる。
【００３２】
また、モジュールの更新があった場合に、多重部１５により更新モジュールに該当する複数のセクションデータを先出し用カルーセルデータに生成しＴＳに変換して一括送信し、その後にメモリ１２上の複数のセクションデータをカルーセルに再構成しＴＳに変換して送信するようにしている。従って、受信機側ではデータ放送ＴＳのモジュールが更新されるごとに、その更新モジュールを即座に受信して再生表示することができる。
【００３３】
また、上記実施形態では、モジュール更新装置３１により入力された更新ファイルのデータフォーマットをＴＳコンバータ１０にて差し替え可能なＴＳの更新モジュールのデータフォーマットに変換してＴＳコンバータ１０に送出するようにしているので、如何なるデータフォーマットの更新ファイルが入力されてもＴＳのデータフォーマットに統一することができる。
【００３４】
さらに、上記実施形態では、ＴＳ受信／モジュール差し替え／多重を１台のＴＳコンバータ１０により行うことができるので、ローカル局において装置数を減らすことができ、省スペース・コスト削減を実現することができる。
【００３５】
なお、この発明は上記実施形態に限定されるものではなく、システム構成、ＴＳコンバータの構成、データ放送ＴＳの送出方法、取り扱うデータ放送ＴＳの種類等についても、この発明の要旨を逸脱しない範囲で種々変形して実施することができる。
【図面の簡単な説明】
【００３６】
【図１】この発明に係るデータ放送ＴＳ送出装置を適用したローカル局の一実施形態を示す概略構成図。
【図２】図１に示したＴＳコンバータの具体的構成を示すブロック図。
【図３】同実施形態で取り扱うデータ放送ＴＳのモジュール構造を示す図。
【図４】従来のデータ放送ＴＳの送出方法を説明するために示す図。
【図５】同実施形態におけるデータ放送ＴＳの送出方法を説明するために示す図。
【図６】同実施形態におけるＴＳコンバータの制御処理手順を説明するために示すフローチャート。
【符号の説明】
【００３７】
１０…ＴＳコンバータ、１１…ＴＳ入力部、１２…メモリ、１３…切替制御部、１４…差し替えモジュール受信部、１５…多重部、２０…データ放送送出装置、３１…モジュール更新装置、３２…自動更新システム。
【図１】
2006229603.tif 000003
【図２】
2006229603.tif 000004
【図３】
2006229603.tif 000005
【図４】
2006229603.tif 000006
【図５】
2006229603.tif 000007
【図６】
2006229603.tif 000008